(57)【要約】【課題】  光加入者端末装置の遠隔制御を可能または不能に任意に変更可能とする。【解決手段】  センター装置２の光送信部８が光ファイバ１０に供給した光信号を受けて、フォトダイオード１４が受信信号を生成する。この受信信号を増幅部２６が増幅する。  この増幅部２６をＣＰＵ３４が制御する。フォトダイオード１４、増幅部２６及びＣＰＵ３４が筐体１２ａに収容されている。光信号には、テレビジョン信号に基づく光テレビジョン信号と増幅部２６の制御用変調信号に基づく光制御用変調信号とが含まれ、フォトダイオード１４の受信信号には、光テレビジョン信号に基づく受信テレビジョン信号と、光変調信号に基づく受信変調信号が含まれる。受信変調信号は、筐体１２ａに着脱自在なデータ復調部４６で制御データに復調され、ＣＰＵ３４は、制御データに基づいて増幅部２６を制御する。【選択図】        図１
2008092498.tif 000002
【特許請求の範囲】
【請求項１】
センター装置の光送信手段が光伝送路に供給した光信号を受けて、受信信号を生成する受光手段と、
この受光手段からの受信信号を増幅する増幅手段と、
この増幅手段を制御する制御手段とを、
１つの筐体内に具備し、前記光信号には、テレビジョン信号源からのテレビジョン信号に基づく光テレビジョン信号と、前記増幅手段の制御用データに基づく光制御用データとが含まれ、
前記受光手段からの受信信号には、前記光テレビジョン信号に基づいて生成された、前記テレビジョン信号に対応する受信テレビジョン信号と、前記光制御用データに基づいて生成された、前記制御用データに対応する受信制御用データが含まれ、
この受信制御用データに基づいて制御手段が、前記増幅手段を制御し、前記制御手段は、前記筐体に着脱自在に設けられている
光加入者端末装置。
【請求項２】
請求項１記載の光加入者端末装置において、前記制御用データに基づいて搬送波を変調した変調信号が前記光送信手段に供給され、前記受光信号には、前記変調信号に対応する受信変調信号が含まれ、前記制御手段は、前記受信変調信号から前記受信制御用データを復調する復調手段を有し、この復調手段が前記筐体に着脱自在に設けられている光加入者端末装置。
【請求項３】
請求項１または２記載の光加入者端末装置において、前記制御手段は、前記増幅手段の自動利得制御用の基準値を前記受信制御用データに基づいて制御する光加入者端末装置。
【請求項４】
請求項１または２記載の光加入者端末装置において、前記制御手段は、前記増幅手段の動作開始及び動作停止を制御する光加入者端末装置。
【発明の詳細な説明】
【技術分野】
【０００１】
本発明は、光伝送路を用いてテレビジョン信号を伝送する際に、その光伝送路の端末に設置される光加入者端末装置に関する。
【背景技術】
【０００２】
従来、光伝送路を用いた伝送システムの光受信回路には、例えば特許文献１に開示されているものがある。特許文献１の技術によれば、フォトダイオードで光信号を受光し、受光信号を発生し、この受光信号をＡＧＣ増幅器で増幅する。ＡＧＣ増幅器の出力レベルを検出し、比較回路において基準信号と比較し、比較結果に基づいてＡＧＣ増幅器を制御する。
【０００３】
【特許文献１】特開平５−１４５３６０号公報
【発明の開示】
【発明が解決しようとする課題】
【０００４】
特許文献１に示されている光受信回路を、テレビジョン信号の光伝送システムにおける光加入者端末装置に実施した場合、センター装置において光信号は、複数のテレビジョン信号に基づいて生成されるが、センター装置においてテレビジョン信号の波数に増減があった場合、光信号の光変調度が変化する。この光変調度の変化に従って、光加入者端末装置において、光変調度の変化に対応した基準信号を設定できないと、歪みが発生したり、Ｃ／Ｎ比が劣化したりする。従って、光送信機側での光変調度の変化に従って光受信機側でのＡＧＣ制御の基準値を自動的に変更できることが望ましい。
【０００５】
また、このような伝送システムでは、多数の光受信機が使用されるが、これら光受信機の中には、契約の変更等によってテレビジョン信号の受信を不能にする必要が生じるものがある。この場合、従来では、作業員が契約変更された光受信機の設置場所まで出向き、受信不能な状態に設定する必要があった。しかし、この作業は面倒である。
【０００６】
従って、センター装置側から光受信機に相当する光加入者端末装置の増幅手段を遠隔制御することができることが望まれることがある。しかし、光変調度が変化する可能性が非常に少ない場合や、受信契約の解約等があまり見込まれない場合には、遠隔制御を可能にすることは、光加入者端末装置のコストアップを招く。
【０００７】
本発明は、センター装置から遠隔制御を可能または不能に変更可能な光加入者端末装置を提供することを目的とする。
【課題を解決するための手段】
【０００８】
本発明の一態様の光加入者端末装置は、センター装置の光送信手段が光伝送路に供給した光信号を受けて、受信信号を生成する受光手段を有している。受光手段としては、フォトダイオードやフォトトランジスタを使用することができる。この受光手段からの受信信号を増幅手段が増幅する。この増幅手段を制御手段が制御する。これら受光手段、増幅手段及び制御手段が、１つの筐体内に設けられている。前記光信号には、テレビジョン信号源からのテレビジョン信号に基づく光テレビジョン信号と、前記増幅手段の制御用データに基づく光制御用データとが含まれている。受光手段からの受信信号には、前記光テレビジョン信号に基づいて生成された、前記テレビジョン信号に対応する受信テレビジョン信号と、前記光制御用データに基づいて生成された、前記制御用データに対応する受信制御用データが含まれる。この受信制御用データに基づいて制御手段が、前記増幅手段を制御する。前記制御手段は、前記筐体に着脱自在に設けられている。
【０００９】
このように構成された光加入者端末装置では、制御手段が装着されている状態では、センター装置から光信号が伝送されたとき、受光手段によって受信信号が発生し、受信信号中の受信制御データが制御手段に供給され、増幅手段の制御が行われる。制御手段が未装着の状態では、増幅手段の制御は行われない。このように制御手段の装着または未装着によって増幅手段を制御可能な状態にも制御不能な状態にも容易に変更することができる。
【００１０】
前記制御用データに基づいて搬送波を変調した変調信号を前記光送信手段に供給することができる。この場合、前記受光信号には、前記変調信号に対応する受信変調信号が含まれる。前記制御手段は、前記受信変調信号から前記受信制御用データを復調する復調手段を有している。この復調手段が前記筐体に着脱自在に設けられている。
【００１１】
このように構成すると、復調手段を未装着の状態において、制御手段の復調手段以外の部分を用いて、制御状態を変更不能であるが、増幅手段の制御を行うことができる。
【００１２】
例えば、前記制御手段は、前記増幅手段の自動利得制御用の基準値を前記受信制御用データに基づいて制御することもできるし、前記増幅手段の動作開始及び動作停止を制御することもできる。
【００１３】
このように構成することによって、復調手段を未装着の状態では、固定の基準値で増幅手段を自動利得制御することができる。また、復調手段を装着した状態では、基準値をセンター装置からの指示に従って変更することができる。また、制御手段を未装着の状態とすると、自動利得制御は不能となるし、増幅手段の動作に関する制御も不能となる。
【発明の効果】
【００１４】
以上のように、本発明によれば、センター装置から光加入者端末装置を遠隔制御することもできるし、遠隔制御が不要な場合には、制御手段またはそれの一部をなす復調手段を未装着とすることで対応できる。
【発明を実施するための最良の形態】
【００１５】
本発明の１実施形態の光加入者端末装置は、図１に示すように例えばテレビジョン信号の光伝送システムに実施されている。この光伝送システムは、センター装置２を有している。このセンター装置２は、例えばヘッドエンド装置等に設けられ、テレビジョン信号源４を有している。このテレビジョン信号源４は、例えばＵＨＦ帯、ＶＨＦ帯の複数の地上波テレビジョン放送信号、共同聴視装置の自主放送信号、衛星放送及び衛星通信信号の例えば１ＧＨｚ帯の中間周波信号等からなるテレビジョン信号を出力する。このテレビジョン信号は、合成器６を介して光送信手段、例えば光送信部８に供給される。光送信部８は、テレビジョン信号を光テレビジョン信号に変換して、光伝送路、例えば光ファイバ１０に供給する。
【００１６】
この光テレビジョン信号は、家庭に配置されている光加入者端末装置１２に供給される。図１では、光ファイバ１０を１本だけ示し、その両端にセンター装置２と光加入者端末装置１２が接続されているように示したが、実際には、光ファイバ１０は、途中で複数のアクセスポイント等を介して多数に分岐され、それら分岐された光ファイバの端末にそれぞれ光加入者端末装置１２が接続されている。或いは、各アクセスポイントで分岐した光ファイバをさらにカプラやクロージャを介して更に分岐し、その分岐された各光ファイバの端末に光加入者端末装置１２を接続する。
【００１７】
光加入者端末装置１２は、受光素子、例えばフォトダイオード１４を有し、そのカソードは高周波阻止コイル１６を介して＋Ｖの電圧が供給され、アノードは負荷抵抗器１８を介して基準電位、例えば接地電位に接続されている。このように接続されることによってフォトダイオード１４には逆バイアスが供給されている。光テレビジョン信号がフォトダイオードに入射することによってフォトダイオード１４には光テレビジョン信号に対応した電流が流れ、これが直流阻止コンデンサ２０を介して増幅手段、例えば増幅器２２で増幅される。この増幅器２２の出力信号は、テレビジョン信号源４のテレビジョン信号に対応したもので、以下受信テレビジョン信号と称する。この受信テレビジョン信号は、分岐手段、例えば１分岐器２４を介して増幅手段、例えばＡＧＣ付き２段増幅部２６に供給される。
【００１８】
この増幅部２６は、減衰手段、例えばＰＩＮダイオードを含む減衰器２８を入力側に有し、この減衰器２８の出力信号が２段の増幅器３０、３２によって増幅され、出力される。減衰器２８の減衰量を調整するために、制御手段、例えばＣＰＵ３４が設けられている。ＣＰＵ３４には、負荷抵抗器１８の両端間電圧、即ち、受信テレビジョン信号に対応する電圧がＡ／Ｄ変換器３６によってデジタル化されて、供給されている。ＣＰＵ３４は、このデジタル信号と、予め定めた基準値を比較し、両者の差が少なくなるように減衰器２８を制御するための制御信号を発生する。この制御信号は、Ｄ／Ａ変換器３８によってアナログ信号に変換され、オン／オフ回路３９、バッファ４０を介して減衰器２８に供給される。オン／オフ回路３９は、ＣＰＵ３４によって制御され、減衰器２８の制御を行う際にオンとされ、制御を行わない際にオフとされる。
【００１９】
ところで、センター装置２のテレビジョン信号源４からのテレビジョン信号の数が例えば増減することがある。この場合、光送信部８から出力される光テレビジョン信号の光変調度が変化する。光変調度が変化しているにも拘わらず、光加入者端末装置１２のＣＰＵ３４がＡＧＣ制御に使用する基準値を一定値に固定していると、増幅器３２から出力される増幅された受信テレビジョン信号はＣ／Ｎ比が劣化したり、歪みを含んだものとなる。このＣ／Ｎ比の劣化や歪みの発生を防止するために、センター装置２側から光変調度の変化に伴う基準値変更指示が光加入者端末装置１２に供給される。
【００２０】
そのため、光送信部８からセンター装置２内の制御部４２に光変調度を表す光変調度データが供給される。制御部４２は、この光変調度データを制御データ生成部、例えばデータ送出部４４に供給する。データ送出部４４は、この光変調度データで所定周波数の搬送波を変調して、例えば、ＦＳＫ変調して、変調信号を生成する。この変調信号は合成器６によってテレビジョン信号と合成され光送信部８に供給される。従って、光送信部８は光テレビジョン信号の他に、変調信号に基づく光制御データ、例えば光変調信号も発生する。この光テレビジョン信号と光変調信号とからなる光信号が光ファイバ１０を介して各加入者端末装置１２に供給される。
【００２１】
各光加入者端末装置１２において、フォトダイオード１４に流れる電流に基づいて増幅器２２が出力信号は、受信テレビジョン信号に加えて、光変調信号に対応する受信変調信号が含まれた受信信号である。この受信信号は、１分岐器２４を介してデータ復調部４６に供給され、ここで受信信号から受信変調信号が抽出される。抽出された受信変調信号から、受信制御データ、例えば変調度データに対応する受信変調度データが復調されて、ＣＰＵ３４に供給される。このデータ復調部４６は、１分岐器２４とＣＰＵ３４とに対して接続状態と非接続状態とに切換可能で、図２に示すように、光加入者端末装置１２の筐体１２ａの一方の面に装着された状態において、１分岐器２４とＣＰＵ３４とに接続され、筐体１２ａの一方の面に非装着状態において、１分岐器２４とＣＰＵ３４とに非接続となる。
【００２２】
ＣＰＵ３４では、図示していない記憶手段に、様々な受信変調度データと、これらにそれぞれ対応する基準信号とを、対応させて記憶したデータベースが構築されており、データ復調部４６から受信変調度データが供給されると、これに対応する基準信号をデータベースから選択し、これをＡＧＣの基準信号として使用する。従って、センター装置２側で光変調度が変化したとしても、その変化に対応した基準信号が自動的に各光加入者端末装置で使用される。従って、光変調度の変化に基づくＣ／Ｎ比の劣化や歪みの発生を防止することができる。なお、データ復調部４６を未接続の状態では、ＣＰＵ３４は、予め設定されている基準信号をＡＧＣ回路８はの基準信号としてＡＧＣ制御を行う。
【００２３】
また、光加入者端末装置１２は、各家庭に設置されているが、今まで光加入者端末装置１２を利用した受信契約を結んでいたのに、その受信契約を解除する家庭がある。或いは、新たに受信契約を結んだ家庭もある。受信契約を解除した家庭では、契約満了日以後に、光加入者端末装置１２を使用しての受信を不能とする必要がある。また、受信契約を新たに結んだ家庭には、受信契約の発行日から受信可能とする必要がある。
【００２４】
そこで、各光加入者端末装置１２では、増幅器３０、３２への電源電圧、例えば＋Ｖの供給路中にオン／オフ回路４８、５０が設けられている。オン／オフ回路４８、５０が、第１の状態、例えばオン状態にあると、＋Ｖの電圧が増幅器３０、３２に供給され、増幅器３０、３２が動作を開始する。従って、受信テレビジョン信号を外部に出力することができる。オン／オフ回路４８、５０が、第２の状態、例えばオフ状態にあると、＋Ｖの電圧の増幅器３０、３２への供給が絶たれ、増幅器３０、３２は、動作を停止し、受信テレビジョン信号を外部へ出力することが停止される。このオン／オフ回路４８、５０のオン状態またはオフ状態への切換は、ＣＰＵ３４が行う。
【００２５】
ＣＰＵ３４が、この切換制御を行うために、センター装置２の制御部４２には、外部から制御データとして、増幅器制御データが供給される。増幅器制御データは、増幅器３０、３２をオンするかオフするかの指示と、オンまたはオフされる増幅器３０、３２が含まれる光加入者端末装置１２を指示するデータとを含んでいる。この増幅器制御データが、データ送出部４４に供給され、上述したのと同様にして搬送波をＦＳＫ変調した光変調信号が各光加入者端末装置１２に伝送される。
【００２６】
各光加入者端末装置１２では、上述したのと同様にして、光変調信号から増幅器制御データに相当する受信増幅器制御データがデータ復調部４６で復調され、ＣＰＵ３４に出力される。ＣＰＵ３４は、受信増幅制御データに含まれている光加入者端末装置を指示するデータが、自己に割り当てられている光加入者端末装置を指示するデータと一致するか判断し、一致する場合には、受信増幅器制御データに含まれているオンまたはオフの指示に従ってオン／オフ回路４８、５０を制御する。また、光加入者端末装置を指示するデータが自己に割り照られている光加入者端末装置を指示するデータと一致しない場合には、オン／オフ回路４８、５０の制御は行わず、共にオン状態である。更に、データ復調部４６が未接続の状態でも、オン／オフ回路４８、５０の制御は行われず、両オン／オフ回路４８、５０は共にオン状態である。
【００２７】
なお、制御部４２は、変調度データと増幅器制御データとが同時にデータ送出部４４に供給された場合、変調度データと増幅器制御データとに基づく光変調信号を光送信部８が送信する。
【００２８】
上記の実施形態では、制御部４２から変調度データをデータ送出部４４に供給したが、制御部４２に様々な光変調度とこれらにそれぞれ対応する基準信号とを対応づけたデータベースを構築しておき、光送信部８から変調度データが供給されたとき、その変調度データに対応する基準信号を選択し、この基準信号をデータ送出部４４に供給し、基準信号で搬送波を変調して変調信号を生成し、この変調信号に基づく光変調信号を光送信部８から各光加入者端末装置１２に伝送し、各光加入者端末装置１２では、この光変調信号に基づく受信変調信号から受信基準信号にデータ復調部４６で復調し、この受信基準信号をＣＰＵ３４においてＡＧＣの基準信号として使用することもできる。この場合、ＣＰＵ３４にはデータベースは不要となる。
【００２９】
上記の実施形態では、各増幅器３０、３２にオン／オフ回路４８、５０を設けたが、増幅器３０、３２に共通に１台のオン／オフ回路を設け、これによって両方の増幅器３０、３２の電源供給開始、停止を制御することもできる。また、電源供給開始、停止ではなく、増幅器３０の減衰器２８からの信号の供給の開始、停止の制御をオン／オフ回路によって行うこともできるし、同様に増幅器３２の出力信号の出力の開始、停止をオン／オフ回路によって行うこともできる。また、バッファ４０の入力側にオン／オフ回路３９を設けたが、場合によっては不要である。
【００３０】
上記の実施形態では、増幅器２２で増幅するフォトダイオード１４を流れる電流は、フォトダイオード１４のカソードから取り出したが、フォトダイオード１４のアノード側から取り出すこともできる。同様に、ＡＧＣ制御用に負荷抵抗器１８の両端間電圧をＡ／Ｄ変換したが、フォトダイオード１４のカソードと接地電位との間の電圧をＡ／Ｄ変換することもできる。また、フォトダイオード１４を使用したが、これに代えて、フォトトランジスタを使用することもできる。
【図面の簡単な説明】
【００３１】
【図１】本発明の１実施形態の光加入者端末装置を用いた光伝送システムのブロック図である。
【図２】図１の光加入者端末装置の斜視図である。
【符号の説明】
【００３２】
２  センター装置
４  テレビジョン信号源
８  光送信部（光送信手段）
１０  光ファイバ（光伝送路）
１２  光加入者端末装置
１４  フォトダイオード（受光手段）
２６  ＡＧＣ付き２段増幅部（増幅部）
３４  ＣＰＵ（制御手段）
４６  データ復調部（制御手段）
【図１】
2008092498.tif 000003
【図２】
2008092498.tif 000004